(57)【要約】【課題】構造が簡単で軽量なケーブルストリッパを得る。【解決手段】ケーブルを所定距離離間した二箇所の挟持位置ＰＰで挟持してケーブル空間ＣＳに位置付ける一対の輪切り刃保持体１０２（下保持体１０２ａ、上保持体１０２ｂ）に、挟持位置ＰＰで組み合わされて円形形状をなし、ケーブル空間ＣＳに位置するケーブルの被覆を輪切りする輪切り刃１０４（１０４ａ、１０４ｂ）を設け、一方の輪切り刃保持体（上保持体１０２ｂ）を介してもう一方の輪切り刃保持体（下保持体１０２ａ）に近接離反自在に設けられている縦切り刃保持体１０３に、この縦切り刃保持体１０３がもう一方の輪切り刃保持体（下保持体１０２ａ）に近接する動作に応じて二箇所の挟持位置ＰＰの間の領域を横切ることでケーブルの被覆を縦切りする縦切り刃１０５を設ける。【選択図】図２
2010220386.tif 000002
【特許請求の範囲】
【請求項１】
近接離反自在に設けられて被覆剥ぎの対象であるケーブルを少なくともその長手方向に所定距離離間した二箇所の挟持位置で挟持してケーブル空間に位置付ける一対の輪切り刃保持体と、
前記二箇所の挟持位置に位置させて前記一対の輪切り刃保持体のそれぞれに形成され、組み合わされることによって円形形状をなすことで、前記ケーブル空間に位置するケーブルの被覆を前記挟持位置で輪切り可能な二箇所一対の輪切り刃と、
一方の前記輪切り刃保持体を介してもう一方の前記輪切り刃保持体に近接離反自在に設けられている縦切り刃保持体と、
前記縦切り刃保持体に設けられ、前記縦切り刃保持体が前記もう一方の輪切り刃保持体に近接する動作に応じて前記二箇所の挟持位置の間の領域を横切ることで、前記ケーブル空間に位置するケーブルの被覆を前記二箇所の挟持位置の間で縦切り可能な縦切り刃と、
を備えるケーブルストリッパ。
【請求項２】
前記一対の輪切り刃保持体と前記縦切り刃保持体との三者は、同軸に回動自在に取り付けられている、請求項１記載のケーブルストリッパ。
【請求項３】
前記もう一方の輪切り刃保持体に対して前記一方の輪切り刃保持体を離反方向に付勢する第１の付勢部と、
前記一方の輪切り刃保持体に対して前記縦切り刃保持体を離反方向に付勢する第２の付勢部と、
を備える請求項１又は２記載のケーブルストリッパ。
【請求項４】
前記第１の付勢部と前記第２の付勢部との付勢力は、前記縦切り刃保持体を前記もう一方の輪切り刃保持体に近接させる動作に応じて、前記二箇所の挟持位置の間の領域を前記縦切り刃が横切る前に前記輪切り刃が円形形状に組み合わされる関係に設定されている、請求項３記載のケーブルストリッパ。
【請求項５】
前記縦切り刃保持体を変位させることなく前記一対の輪切り刃保持体を近接させる操作を受け付ける輪切り操作部を備える、請求項３記載のケーブルストッパ。
【発明の詳細な説明】
【技術分野】
【０００１】
本発明は、例えば光自動検針器等の電源線接続工事に際して、ケーブルの中間被覆剥ぎのために使用されるケーブルストリッパに関する。
【背景技術】
【０００２】
例えば光自動検針器等の電源線接続工事に際しては、電源線となるケーブルの端部ではない中間部分においてその被覆を剥離させる作業、いわゆるケーブルの中間被覆剥ぎという作業が発生する。この作業の手順としては、図１０に示すように、ケーブルＣＢの二箇所でその被覆ＴをカッタＣによって輪切りする（図１０（ａ）参照）。次に、輪切した二箇所を繋ぐようにカッタＣによって被覆Ｔを縦切りする（図１０（ｂ）参照）。その後、被覆Ｔにおいて輪切り及び縦切りによって脱落可能となった被覆の破片ＴＦをニッパＮで摘んで除去し、被覆Ｔに覆われていた導線ＬＬを露出させる（図１０（ｃ）参照）。これにより、ケーブルの中間被覆剥ぎを行なうことができる。
【０００３】
これに対して、図１０（ａ）〜（ｃ）に作業手順を示すように、ケーブルの中間被覆剥ぎをするには複数の手順を必要とする。このため、中間被覆剥ぎを必要とする箇所が増えれば増えるほど、図１０（ａ）〜（ｃ）に示すような作業手順を何度も繰り返さなければならず、極めて非効率で作業性が悪いという問題がある。このようなことから、ケーブルの中間被覆剥ぎを行なうことができるようにしたケーブルストリッパと呼ばれる器具が開発され、実用化されている。
【０００４】
特許文献１は、ケーブルストリッパの一例を開示している。特許文献１が開示するケーブルストリッパは、ケーブルの被覆を輪切り（周方向の切込みを形成）するための複数個の第１のブレードと、縦切り（軸方向の切込みを形成）するための第２のブレードとを円筒形状のケーブルガイド部に備え、それらの第１及び第２のブレードを共通の操作レバーによって移動操作するように構成したものである（段落０００６〜０００７等参照）。そこで、ガイド孔にケーブルを挿入し、この状態でガイド孔内に複数個の第１のブレードを進入させることによってケーブルの被覆を輪切りし、その後、ガイド孔から第１のブレードを退避させると共に第２のブレードを進入させてケーブルの被覆を縦切りする。
【先行技術文献】
【特許文献】
【０００５】
【特許文献１】特開平０５−０４９１３５号公報
【発明の概要】
【発明が解決しようとする課題】
【０００６】
ケーブルの中間被覆剥ぎを行なうに際して、図１０（ａ）〜（ｃ）に例示するような作業を繰り返すことは、前述したように、極めて非効率で作業性が悪い。これに対して、特許文献１に例示するようなケーブルストリッパを用いれば、効率的に作業を進めることができる。しかしながら、特許文献１に示すケーブルストリッパを見れば分かるように、その構造が非常に複雑であり、また、構造の複雑さや部品点数の多さ等から重量が重くなってしまうという問題がある。これは、輪切りをするに際しては第１のブレードに対してケーブルを回転させる必要があり、縦切りをするにはケーブルに対して第２のブレードを移動させる必要があり、これらの全く異なる動作を単一の操作レバーの操作によっていずれも実現させなければならないからである。また、重量が重くなればなるほど、多くのケーブルについてその中間被覆剥ぎを行なうと作業者への負担が増大してしまうため、甚だ不都合である。このようなことから、構造が簡単で軽量なケーブルストリッパの実現が望まれている。
【０００７】
本発明は、このような点に鑑みなされたもので、構造が簡単で軽量なケーブルストリッパを得ることを目的とする。
【課題を解決するための手段】
【０００８】
本発明のケーブルストリッパは、近接離反自在に設けられて被覆剥ぎの対象であるケーブルを少なくともその長手方向に所定距離離間した二箇所の挟持位置で挟持してケーブル空間に位置付ける一対の輪切り刃保持体と、前記二箇所の挟持位置に位置させて前記一対の輪切り刃保持体のそれぞれに形成され、組み合わされることによって円形形状をなすことで、前記ケーブル空間に位置するケーブルの被覆を前記挟持位置で輪切り可能な二箇所一対の輪切り刃と、一方の前記輪切り刃保持体を介してもう一方の前記輪切り刃保持体に近接離反自在に設けられている縦切り刃保持体と、前記縦切り刃保持体に設けられ、前記縦切り刃保持体が前記もう一方の輪切り刃保持体に近接する動作に応じて前記二箇所の挟持位置の間の領域を横切ることで、前記ケーブル空間に位置するケーブルの被覆を前記二箇所の挟持位置の間で縦切り可能な縦切り刃と、を備える。
【発明の効果】
【０００９】
本発明によれば、一対の輪切り刃保持体でケーブルを挟持するだけで、輪切り刃によるケーブルの輪切りを行なうことができ、また、縦切り刃保持体を一方の輪切り刃保持体を介してもう一方の輪切り刃保持体に近接させるだけで、縦切り刃によるケーブルの縦切りを行なうことができ、したがって、極めて構造が簡単で軽量なケーブルストリッパを得ることができ、多くのケーブルについてその中間被覆剥ぎを行なった場合に生ずる作業者への負担を軽減することができる。
【図面の簡単な説明】
【００１０】
【図１】第１の実施の形態のケーブルストリッパの一例を示す側面図である。
【図２】ケーブルストリッパの縦断側面図である。
【図３】ケーブルストリッパの分解斜視図である。
【図４】（ａ）はケーブル空間にケーブルがセットされてその被覆が輪切りされている状態を示す縦断側面図、（ｂ）は縦切り刃によってケーブルの被覆が縦切りされている状態を示す縦断側面図である。
【図５】（ａ）は輪切り及び縦輪切りされた後のケーブル及び被覆の状態を示す縦断側面図、（ｂ）は輪切り及び縦切りされた後のケーブル及び被覆の状態を示す平面図である。
【図６】第２の実施の形態のケーブルストリッパの一例を示す側面図である。
【図７】ケーブルストリッパの縦断側面図である。
【図８】第３の実施の形態のケーブルストリッパの一例を示す側面図である。
【図９】ケーブルストリッパの縦断側面図である。
【図１０】従来の中間被覆剥ぎの作業手順を示し、（ａ）はケーブルの被覆を輪切りしている工程を、（ｂ）は輪切りされたケーブルを縦切りしている工程を、（ｃ）は輪切り及び縦切りされた被覆の破片を除去する工程を、それぞれ示す側面図である。
【発明を実施するための形態】
【００１１】
実施の形態を図面に基づいて説明する。
【００１２】
（第１の実施の形態）
第１の実施の形態を図１ないし図５に基づいて説明する。
【００１３】
図１は、ケーブルストリッパ１０１の一例を示す側面図である。本実施の形態のケーブルストリッパ１０１は、ホチキスに類似した構造を有している。つまり、軸ＡＸを中心に回動自在に連結されて近接離反自在に設けられた一対の輪切り刃保持体１０２が設けられ、この輪切り刃保持体１０２には縦切り刃保持体１０３も軸ＡＸを中心に回動自在に取り付けられている。
【００１４】
一対の輪切り刃保持体１０２は、下保持体１０２ａと上保持体１０２ｂとからなる。これらの下保持体１０２ａと上保持体１０２ｂとは、被覆剥ぎの対象であるケーブルＣＢ（図４参照）をその長手方向に所定距離離間した二箇所の挟持位置ＰＰ（図３参照）で挟持して溝状のケーブル空間ＣＳに位置付けるよう、軸ＡＸを中心に回動自在に連結されている。ケーブル空間ＣＳは、丸棒形状のケーブルＣＢを収納できるよう、筒状に形成されている。ケーブルストリッパ１０１は、このようなケーブル空間ＣＳを二組有している。一つは比較的細いケーブルＣＢ用、もう一つは比較的太いケーブルＣＢ用である。二箇所の挟持位置ＰＰは、個々のケーブル空間ＣＳの両端部に形成されている。そして、これらの挟持位置ＰＰには、輪切り刃１０４が設けられている。これらの輪切り刃１０４は、下保持体１０２ａに形成された部分と上保持体１０２ｂに形成された部分とが組み合わされることによって円形形状をなし、ケーブル空間ＣＳに位置するケーブルＣＢの被覆を挟持位置ＰＰで輪切り可能な構造をなしている。ここでは、理解の容易上、下保持体１０２ａに設けられた輪切り刃１０４を輪切り刃１０４ａ、上保持体１０２ｂに設けられた輪切り刃１０４を輪切り刃１０４ｂとして説明し、図面にも表示する。
【００１５】
次いで、刃保持体１０３は、軸ＡＸを中心に回動することで、上保持体１０２ｂを介して下保持体１０２ａに近接離反自在に設けられている。このような刃保持体１０３には、二組のケーブル空間ＣＳに対応させた二組の縦切り刃１０５が取り付けられている。各組の縦切り刃１０５は、一対の刃部１０５ａが対面して形成されている。このような縦切り刃１０５は、縦切り刃保持体１０３が上保持体１０２ｂに近接する動作に応じて二箇所の挟持位置ＰＰの間の領域を横切るように位置付けられている（図３参照）。これにより、縦切り刃１０５は、ケーブル空間ＣＳに位置するケーブルＣＢの被覆Ｔ（図４参照）を二箇所の挟持位置ＰＰの間で縦切り可能な構造をなしている。この場合、縦切り刃１０５は一対の対面する刃部１０５ａを有しているため、ケーブルＣＢにおいて被覆Ｔに覆われている導線ＬＬの両側で被覆Ｔを切断することができる。
【００１６】
図２は、ケーブルストリッパ１０１の縦断側面図である。ケーブルストリッパ１０１には、板バネ１０６が取り付けられている。板バネ１０６は、下保持体１０２ａに対して上保持体１０２ｂを離反方向に付勢する第１の付勢部１０６ａをなす領域と、上保持体１０２ｂに対して縦切り刃保持体１０３を離反方向に付勢する第２の付勢部１０６ｂをなす領域とを含んでいる。より詳細には、板バネ１０６は、軸ＡＸを形成する軸棒１０７を取り囲むようにして軸棒１０７にラッチされる包囲部１０６ｃを中心に備える。そして、板バネ１０６は、包囲部１０６ｃを中心として下方の一端側に平坦部１０６ｄと下作用部１０６ｅとを順に備え、上方の一端側に上作用部１０６ｆを備えている。
【００１７】
板バネ１０６の平坦部１０６ｄは下保持体１０２ａの上面に支持されており、下作用部１０６ｅは上保持体１０２ｂの下面を支えている。そこで、包囲部１０６ｃから平坦部１０６ｄを介して下作用部１０６ｅに至る領域は、下保持体１０２ａに対して上保持体１０２ｂを離反方向に付勢する第１の付勢部１０６ａとしての役割を果たしている。
【００１８】
これに対して、板バネ１０６の上作用部１０６ｆは、上保持体１０２ｂを貫通して縦切り刃保持体１０３の下面に沿ってこの縦切り刃保持体１０３の先端部に固定されている。そこで、平坦部１０６ｄから包囲部１０６ｃを介して上作用部１０６ｆに至る板バネ１０６の領域は、上保持体１０２ｂに対して縦切り刃保持体１０３を離反方向に付勢する第２の付勢部１０６ｂとしての役割を果たしている。
【００１９】
ここで、板バネ１０６の上作用部１０６ｆを貫通させるために、上保持体１０２ｂには板バネ挿通孔１０８が形成されている。また、板バネ１０６の上作用部１０６ｆを固定するために、縦切り刃保持体１０３の裏面には二つのボス１０９が形成されている。図２に示すように、板バネ１０６の上作用部１０６ｆは、縦切り刃１０５と共に、ネジ１１０によってボス１０９にネジ止めされている。
【００２０】
また、図２に示すように、下保持体１０２ａはバルク体であり、上保持体１０２ｂは折り曲げ形成された板金部材である。このような上保持体１０２ｂには、縦切り刃１０５を挿通させるための挿通孔１１１が開口形成されている。そして、下保持体１０２ａは、一例として硬質樹脂によって成形されており、挿通孔１１１を挿通して進入してきた縦切り刃１０５を挿入させて退避させるための複数個の退避孔１１２を一体に有している。
【００２１】
図３は、ケーブルストリッパ１０１の分解斜視図である。下保持体１０２ａには、その後端両側部に一対の連結板１１３が固定されている。これらの連結板１１３には、軸ＡＸとなる軸棒１０７を挿通させるための軸孔１１４ａが形成されている。上保持体１０２ｂにも、その回転中心となる位置に軸孔１１４ｂが形成されている。縦切り刃保持体１０３にも、その回転中心となる位置に軸孔１１４ｃが形成されている。そして、一対の連結板１１３の対向配置間隔は、上保持体１０２ｂの外幅よりも僅かに広く、縦切り刃保持体１０３の内幅よりも僅かに狭く形成されている。そこで、連結板１１３と上保持体１０２ｂと縦切り刃保持体１０３とのそれぞれの軸孔１１４ａ〜１１４ｃの位置を一致させた状態で、これらの軸孔１１４ａ〜１１４ｃに軸棒１０７を挿通する。この際に重要なことは、上保持体１０２ｂの板バネ挿通孔１０８に板バネ１０６の包囲部１０６ｃから平坦部１０６ｄを経て下作用部１０６ｅに至る部分を挿通しておき、その包囲部１０６ｃにも軸棒１０７を挿通させるということである。これにより、下保持体１０２ａと上保持体１０２ｂと縦切り刃保持体１０３と板バネ１０６とが、それぞれ回動自在に一体的に組み付けられる。そして、軸棒１０７の脱落防止のために、軸棒１０７をＥリング１１５によって抜け止めする。つまり、軸棒１０７は、その一端に大径の頭部１０７ａを有し、他端にＥリング１１５を装着するための装着溝１０７ｂを有している。そこで、連結板１１３と上保持体１０２ｂと縦切り刃保持体１０３とのそれぞれの軸孔１１４ａ〜１１４ｃ及び板バネ１０６の包囲部１０６ｃに軸棒１０７を挿通してから装着溝１０７ｂにＥリング１１５を装着すれば、軸棒１０７を抜け止めすることができ、各部を脱落することなく確実に組み付けることができる。
【００２２】
完成したケーブルストリッパ１０１は、図２に示すように、板バネ１０６の下作用部１０６ｅが上保持体１０２ｂを下保持体１０２ａから離反した位置に位置付け、板バネ１０６の上作用部１０６ｆが縦切り刃保持体１０３を上保持体１０２ｂから離反した位置に位置付けている。そこで、縦切り刃保持体１０３を下保持体１０２ａに近接させると、板バネ１０６が撓み、第１の付勢部１０６ａが下保持体１０２ａに対して上保持体１０２ｂを離反方向に付勢し、第２の付勢部１０６ｂが上保持体１０２ｂに対して縦切り刃保持体１０３を離反方向に付勢する。ここで重要なことは、板バネ１０６は、第１の付勢部１０６ａと第２の付勢部１０６ｂとでその付勢力が相違しているという点である。つまり、第１の付勢部１０６ａの付勢力は第２の付勢部１０６ｂの付勢力よりも小さく設定されている。より詳細には、第１の付勢部１０６ａと第２の付勢部１０６ｂとの付勢力は、縦切り刃保持体１０３を下保持体１０２ａに近接させる動作に応じて、二箇所の挟持位置ＰＰの間の領域を縦切り刃１０５が横切る前に下保持体１０２ａ側の輪切り刃１０４ａと上保持体１０２ｂ側の輪切り刃１０４ｂとが円形形状に組み合わされる関係に設定されている。
【００２３】
なお、第１の付勢部１０６ａの付勢力と第２の付勢部１０６ｂの付勢力とを変化させるには、各種の手法を採用することができる。一例として、板バネ１０６の厚みを変化させてその剛性を相違させるという手法を採用することができる。別の一例として、付勢力を小さくする領域に打ち抜き部を設けて板バネとして作用する面積を小さくするという手法を採用することができる。更に別の一例としては、剛性がことなる二種類の鋼を溶接等で接合固定するという手法を採用することができる。
【００２４】
図４（ａ）は、ケーブル空間ＣＳにケーブルＣＢがセットされてその被覆Ｔが輪切りされている状態を示す縦断側面図である。前述したように、第１の付勢部１０６ａの付勢力は第２の付勢部１０６ｂの付勢力よりも小さく設定されているので、縦切り刃保持体１０３を下保持体１０２ａに近接させた場合、二箇所の挟持位置ＰＰの間の領域を縦切り刃１０５が横切る前に、下保持体１０２ａ側の輪切り刃１０４ａと上保持体１０２ｂ側の輪切り刃１０４ｂとが円形形状に組み合わされる。このため、状況に応じて、この時点でケーブルＣＢの被覆Ｔが二箇所の挟持位置ＰＰで切断される。あるいは、この時点では被覆Ｔが切断されない場合、作業者がケーブルＣＢを回転させることで被覆Ｔを容易に切断することができる。こうして、ケーブルＣＢの被覆Ｔが輪切りされる。
【００２５】
図４（ｂ）は、縦切り刃１０５によってケーブルＣＢの被覆Ｔが縦切りされている状態を示す縦断側面図である。下保持体１０２ａ側の輪切り刃１０４ａと上保持体１０２ｂ側の輪切り刃１０４ｂとが円形形状に組み合わされた後、更に、縦切り刃保持体１０３を下保持体１０２ａに近接させると、終には縦切り刃１０５の一対の刃部１０５ａが二箇所の挟持位置ＰＰの間の領域を横切り、その先端部が下保持体１０２ａに形成された退避孔１１２に挿入される。この時には、図４（ｂ）に示すように、縦切り刃１０５の刃部１０５ａはケーブルＣＢの被覆Ｔを完全に横切っており、被覆Ｔを切断している。こうして、ケーブルＣＢの被覆Ｔが縦切りされる。
【００２６】
図５は、輪切り及び縦輪切りされた後のケーブルＣＢ及び被覆Ｔの状態を示す図面であり、（ａ）は縦断側面図、（ｂ）は平面図である。ケーブルＣＢでは、輪切りされた部分が縦切りされ、輪切りによる被覆Ｔの破片ＴＦ１と縦切りによる被覆Ｔの破片ＴＦ２とが発生する。これらの破片ＴＦ１、ＴＦ２は、ケーブルストリッパ１０１から取り外したケーブルＣＢから自然と脱落し、ケーブルＣＢの中間部分で導線ＬＬを露出させる。図５（ｂ）を参照することで、ケーブルＣＢの中間部分で導線ＬＬが露出している様子が良く分かる。こうして、ケーブルＣＢの中間被覆剥ぎを容易に行なうことができる。
【００２７】
以上説明したように、本実施の形態のケーブルストリッパ１０１によれば、一対の輪切り刃保持体１０２（下保持体１０２ａ、上保持体１０２ｂ）でケーブルＣＢを挟持するだけで、輪切り刃１０４（１０４ａ、１０４ｂ）によるケーブルＣＢの輪切りを行なうことができる。また、縦切り刃保持体１０３を下保持体１０２ａに近接させるだけで、縦切り刃１０５によるケーブルＣＢの縦切りを行なうことができる。したがって、極めて構造が簡単であり、しかも重量物がないために軽量なケーブルストリッパ１０１を得ることができ、多くのケーブルＣＢについてその中間被覆剥ぎを行なった場合に生ずる作業者への負担を大幅に軽減することができる。
【００２８】
また、ケーブルストリッパ１０１では、一対の輪切り刃保持体１０２（下保持体１０２ａ、上保持体１０２ｂ）と縦切り刃保持体１０３とは、軸棒１０７によって同一の軸ＡＸに回動自在に取り付けられている。このため、ケーブルストリッパ１０１は、ホチキスに類似した構造を有することになり、誰でもが使い慣れているホチキスと同様の操作性でケーブルＣＢの中間被覆剥ぎを行なうことができる。この面からも、作業性の向上を図ることができる。
【００２９】
また、板バネ１０６は第１の付勢部１０６ａと第２の付勢部１０６ｂとを含んでいる。第１の付勢部１０６ａは、下保持体１０２ａに対して上保持体１０２ｂを離反方向に付勢する。第２の付勢部１０６ｂは、上保持体１０２ｂに対して縦切り刃保持体１０３を離反方向に付勢する。これにより、第１の付勢部１０６ａは下保持体１０２ａと上保持体１０２ｂとの間に空間を維持し、第２の付勢部１０６ｂは下保持体１０２ａと縦切り刃保持体１０３との間に空間を維持する。このため、ケーブル空間ＣＳにケーブルＣＢを位置付けるに際して、また、ケーブル空間ＣＳに位置付けられたケーブルＣＢの被覆Ｔを剥ぐために縦切り刃保持体１０３を下保持体１０２ａに近接させるに際して、それらの作業の作業性が格段に良好になる。
【００３０】
加えて、第１の付勢部１０６ａと第２の付勢部１０６ｂとの付勢力は、縦切り刃保持体１０３を下保持体１０２ａに近接させる動作に応じて、二箇所の挟持位置ＰＰの間の領域を縦切り刃１０５が横切る前に一対の輪切り刃１０４（１０４ａ、１０４ｂ）が円形形状に組み合わされる関係に設定されている。これにより、一対の輪切り刃１０４（１０４ａ、１０４ｂ）が円形形状に組み合わされた状態でケーブルＣＢの被覆Ｔが完全に輪切りされない場合には、輪切り刃１０４（１０４ａ、１０４ｂ）に対してケーブルＣＢを手動回転させることが可能となり、この作業によって被覆Ｔを完全に輪切りすることができる。
【００３１】
（第２の実施の形態）
第２の実施の形態を図６及び図７に基づいて説明する。第１の実施の形体と同一部分は同一符号で示し説明も省略する。
【００３２】
図６はケーブルストリッパ１０１の一例を示す側面図、図７はケーブルストリッパ１０１の縦断側面図である。本実施の形態は、板バネ１０６の構造に関する。つまり、本実施の形態では、輪切り刃保持体１０２の一方をなす上保持体１０２ｂの上面に補助板バネ１３１を固定している。補助板バネ１３１の固定は、一例として、リベット１３２による。別の一例として、溶接によって補助板バネ１３１を上保持体１０２ｂの上面に固定するようにしても良い。このような補助板バネ１３１は、上保持体１０２ｂに対して縦切り刃保持体１０３を離反方向に付勢する付勢力を強める。この意味で、補助板バネ１３１は、第２の付勢部１０６ｂをなす。
【００３３】
ここで、第１の付勢部１０６ａと補助板バネ１３１を含む第２の付勢部１０６ｂとの付勢力は、縦切り刃保持体１０３を下保持体１０２ａに近接させる動作に応じて、二箇所の挟持位置ＰＰの間の領域を縦切り刃１０５が横切る前に一対の輪切り刃１０４（１０４ａ、１０４ｂ）が円形形状に組み合わされる関係に設定されている。これにより、一対の輪切り刃１０４（１０４ａ、１０４ｂ）が円形形状に組み合わされた状態でケーブルＣＢの被覆Ｔが完全に輪切りされない場合には、輪切り刃１０４（１０４ａ、１０４ｂ）に対してケーブルＣＢを手動回転させることが可能となり、この作業によって被覆Ｔを完全に輪切りすることができる。
【００３４】
しかも、第２の付勢部１０６ｂを構成するのに補助板バネ１３１を用いれば、板バネ１０６それ自体を工夫して第１の付勢部１０６ａと第２の付勢部１０６ｂとの機能を板バネ１０６それ自体に持たせる必要がなくなる。これにより、板バネ１０６の構造を単純化することができる。
【００３５】
（第３の実施の形態）
第３の実施の形態を図８及び図９に基づいて説明する。第１の実施の形体と同一部分は同一符号で示し説明も省略する。
【００３６】
図８はケーブルストリッパ１０１の一例を示す側面図、図９はケーブルストリッパ１０１の縦断側面図である。本実施の形態は、輪切り刃保持体１０２の一方をなす上保持体１０２ｂの上面に輪切り操作部１５１を取り付けた一例である。つまり、上保持体１０２ｂの上面には輪切り操作部１５１をネジ１５２によって固定し、輪切り刃保持体１０３の中央部分には輪切り操作部１５１を挿通させて外部に露出させるための操作部挿通孔１５３を形成する。
【００３７】
このような構造のものは、作業者が輪切り操作部１５１を持って上保持体１０２ｂを下保持体１０２ａに向けて回動させると、二箇所の挟持位置ＰＰの間の領域に縦切り刃１０５を横切らせることなく、下保持体１０２ａが備える輪切り刃１０４ａと上保持体１０２ｂが備える輪切り刃１０４ｂとを円形形状に組み合わせることができる。これにより、一対の輪切り刃１０４（１０４ａ、１０４ｂ）が円形形状に組み合わされた状態でケーブルＣＢの被覆Ｔが完全に輪切りされない場合には、輪切り刃１０４（１０４ａ、１０４ｂ）に対してケーブルＣＢを手動回転させることが可能となり、この作業によって被覆Ｔを完全に輪切りすることができる。その後、作業者は、縦切り刃保持体１０３を下保持体１０２ａに近接させることで、縦切り刃１０５によってケーブルＣＢの被覆Ｔを縦切りすることができる。
【００３８】
このように、本実施の形態によれば、第１の付勢部１０６ａと第２の付勢部１０６ｂとの付勢力を相違させることで板バネ１０６によって自動で行なっていた操作を作業者が手動でできるようにした。このため、板バネ１０６として、第１の付勢部１０６ａと第２の付勢部１０６ｂとの付勢力を相違させたような特殊なものを用いる必要がなくなり、板バネ１０６の構造を単純化することができる。
【符号の説明】
【００３９】
１０２    輪切り刃保持体
１０３    縦切り刃保持体
１０４    輪切り刃
１０５    縦切り刃
１０６ａ  第１の付勢部
１０６ｂ  第２の付勢部
１５１    輪切り操作部
ＣＢ      ケーブル
ＣＳ      ケーブル空間
ＰＰ      挟持位置
【図１】
2010220386.tif 000003
【図２】
2010220386.tif 000004
【図３】
2010220386.tif 000005
【図４】
2010220386.tif 000006
【図５】
2010220386.tif 000007
【図６】
2010220386.tif 000008
【図７】
2010220386.tif 000009
【図８】
2010220386.tif 000010
【図９】
2010220386.tif 000011
【図１０】
2010220386.tif 000012